【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、
を備え、ここにおいて、前記動的に禁止することは、前記重複ＢＳＳの１つまたは複数の他の送信機が前記第１の送信の間にワイヤレスチャネルを使用することを禁止されることを示すフレームのプリアンブルにおけるフィールドを設定することを備え、ここにおいて、前記プリアンブルにおける前記フィールドは、前記プリアンブルにおけるカラーフィールドとは異なる、
方法。
【請求項２】
前記第１の送信を前記識別することは、前記第１の送信の１つまたは複数の特性を識別することをさらに備え、前記動的に禁止することは、前記識別された１つまたは複数の特性に少なくとも部分的に基づく、請求項１に記載の方法。
【請求項３】
前記プリアンブルの前記フィールドを前記設定することは、前記フレームの前記プリアンブルにおけるフラグを設定することを備える、請求項１に記載の方法。
【請求項４】
前記動的に禁止することは、前記第１の送信機の前記送信に先行する送信可（ＣＴＳ）送信または送信要求（ＲＴＳ）送信のうちの１つまたは複数を送信することを備える、請求項１に記載の方法。
【請求項５】
前記動的に禁止することは、前記第１の送信の間に送信されるデータフレームのプリアンブルにおける干渉しきい値を送信することを備え、前記干渉しきい値は、前記データフレームによって耐えられる干渉の量を示す、請求項１に記載の方法。
【請求項６】
前記動的に禁止することは、同時の重複ＢＳＳ送信が、ほとんど無いか全くない干渉の許可によって禁止されることを示すために前記干渉しきい値を低いレベルに設定することをさらに備える、請求項５に記載の方法。
【請求項７】
同時の送信を前記動的に禁止することに基づいて１つまたは複数のディスインセンティブルールを適用すること、をさらに備える、請求項１に記載の方法。
【請求項８】
前記１つまたは複数のディスインセンティブルールがアクセスポイントによって構成され、前記第１のＢＳＳの１つまたは複数の局に送信される、請求項７に記載の方法。
【請求項９】
前記１つまたは複数のディスインセンティブルールは、前記第１の送信機が同時の送信を禁止するパケットを送信する場合に、前記第１の送信機が前記重複ＢＳＳの送信機と同時に送信しないことを命令することを備える、請求項７に記載の方法。
【請求項１０】
前記１つまたは複数のディスインセンティブルールは、同時の送信が禁止されることのインジケーションなしで前記第１の送信が送信された場合に示される前記第１の送信のためのチャネル優先度より低いチャネル優先度を示すことを備える、請求項７に記載の方法。
【請求項１１】
前記１つまたは複数のディスインセンティブルールは、同時の送信が禁止されることを示すために使用され得る利用可能なワイヤレスリソースを利用可能なリソースのサブセットに制限することを備える、請求項７に記載の方法。
【請求項１２】
前記１つまたは複数の局の送信の間に送信することを前記重複ＢＳＳの他の送信機に動的に禁止することを、前記１つまたは複数の局に有効または無効にするために、前記第１のＢＳＳにおける１つまたは複数の局に、情報を、前記第１のＢＳＳにおけるアクセスポイント（ＡＰ）によって、送信することをさらに備える、請求項１に記載の方法。
【請求項１３】
データフレーム特性を識別すること、および、前記第１のＢＳＳにおける局の送信の間に送信することを前記重複ＢＳＳの他の送信機に動的に禁止することを、前記局に有効にするために、前記第１のＢＳＳにおけるアクセスポイントから情報を、前記局において、受信することをさらに備える、請求項１に記載の方法。
【請求項１４】
ワイヤレス通信のための装置であって、
第１の基本サービスセット（ＢＳＳ）の第１の送信機から送信される第１の送信を識別するための手段と、
前記第１の送信の間における前記第１の送信機と同時の送信を前記第１のＢＳＳと重複する重複ＢＳＳの１つまたは複数の他の送信機に動的に禁止するための手段と、
を備え、ここにおいて、動的に禁止するための前記手段は、前記重複ＢＳＳの１つまたは複数の他の送信機が前記第１の送信の間にワイヤレスチャネルを使用することを禁止されることを示すフレームのプリアンブルにおけるフィールドを設定するための手段を備え、ここにおいて、前記プリアンブルにおける前記フィールドは、前記プリアンブルにおけるカラーフィールドとは異なる、
装置。
【請求項１５】
ワイヤレス通信のためのコードを記憶するコンピュータ可読媒体であって、前記コードは、実行されたときに、コンピュータに、請求項１乃至１３のうちのいずれか一項に記載の方法を実行させる命令を備える、コンピュータ可読媒体。
【手続補正２】
【補正対象書類名】明細書
【補正対象項目名】０１１６
【補正方法】変更
【補正の内容】
【０１１６】
[0125]  添付の図面において、同様のコンポーネントまたは特徴は、同じ参照ラベルを有し得る。さらに、同じタイプのさまざまなコンポーネントは、参照ラベルに、ダッシュと、同様のコンポーネント間を区別する第２のラベルとを後続させることによって区別され得る。本書において第１の参照ラベルのみが使用される場合、第２の参照ラベルに関係なく同じ第１の参照ラベルを有する同様のコンポーネントのいずれか１つに、説明が適用可能である。
以下に本願の出願当初の特許請求の範囲に記載された発明を付記する。
［Ｃ１］
ワイヤレス通信のための方法であって：
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、を備え、ここにおいて、前記動的に禁止することは、同時の重複ＢＳＳ送信が禁止されることを示すフレームのプリアンブルにおける値を設定することを備える、
方法。
［Ｃ２］
前記第１の送信を前記識別することは、前記第１の送信の１つまたは複数の特性を識別することをさらに備え、前記動的に禁止することは、前記識別された１つまたは複数の特性に少なくとも部分的に基づく、Ｃ１に記載の方法。
［Ｃ３］
前記フレームの前記プリアンブルにおける前記値を前記設定することは、同時の重複ＢＳＳ送信が禁止されることを示す所定の値に前記第１の送信のデータフレームのプリアンブルにおけるカラーフィールドを設定することを備える、Ｃ１に記載の方法。
［Ｃ４］
前記フレームの前記プリアンブルにおける前記値を前記設定することは、前記フレームの前記プリアンブルにおけるフラグを設定することを備える、Ｃ１に記載の方法。
［Ｃ５］
前記動的に禁止することは、前記第１の送信機の前記送信に先行する送信可（ＣＴＳ）送信または送信要求（ＲＴＳ）送信のうちの１つまたは複数を送信することを備える、Ｃ１に記載の方法。
［Ｃ６］
前記ＲＴＳまたはＣＴＳ送信は、同時の送信がレガシ延期ルールに従って禁止されることを前記重複ＢＳＳの前記１つまたは複数の他の送信機に示す、Ｃ５に記載の方法。
［Ｃ７］
前記動的に禁止することは、前記第１の送信の間に送信されるデータフレームのプリアンブルにおける干渉しきい値を送信することを備え、前記干渉しきい値は、前記データフレームによって耐えられる干渉の量を示す、Ｃ１に記載の方法。
［Ｃ８］
前記動的に禁止することは、同時の重複ＢＳＳ送信が、ほとんど無いか全くない干渉の許可によって禁止されることを示すために前記干渉しきい値を低いレベルに設定することをさらに備える、Ｃ７に記載の方法。
［Ｃ９］
同時の送信を前記動的に禁止することに基づいて１つまたは複数のディスインセンティブルールを適用すること、をさらに備える、Ｃ１に記載の方法。
［Ｃ１０］
前記１つまたは複数のディスインセンティブルールがアクセスポイントによって構成され、前記第１のＢＳＳの１つまたは複数の局に送信される、Ｃ９に記載の方法。
［Ｃ１１］
前記１つまたは複数のディスインセンティブルールは、前記第１の送信機が同時の送信を禁止するパケットを送信する場合に、前記第１の送信機が前記重複ＢＳＳの送信機と同時に送信しないことを命令することを備える、Ｃ９に記載の方法。
［Ｃ１２］
前記１つまたは複数のディスインセンティブルールは、同時の送信が禁止されることのインジケーションなしで前記第１の送信が送信された場合に示される前記第１の送信のためのチャネル優先度より低いチャネル優先度を示すことを備える、Ｃ９に記載の方法。
［Ｃ１３］
前記１つまたは複数のディスインセンティブルールは、同時の送信が禁止されることを示すために使用され得る利用可能なワイヤレスリソースを利用可能なリソースのサブセットに制限することを備える、Ｃ９に記載の方法。
［Ｃ１４］
前記１つまたは複数の局の送信の間に送信することを前記重複ＢＳＳの他の送信機に動的に禁止することを、前記１つまたは複数の局に有効または無効にするために、前記第１のＢＳＳにおける１つまたは複数の局に、情報を、前記第１のＢＳＳにおけるアクセスポイント（ＡＰ）によって、送信することをさらに備える、Ｃ１に記載の方法。
［Ｃ１５］
前記有効にすることは、データフレーム特性を識別することに基づく、Ｃ１４に記載の方法。
［Ｃ１６］
前記情報は、前記１つまたは複数の局に送信されるシングルビットインジケータを備える、Ｃ１４に記載の方法。
［Ｃ１７］
前記情報は、前記１つまたは複数の局の送信の間に送信することを前記重複ＢＳＳの他の送信機に動的に禁止することを有効にするかどうかを決定するために、前記１つまたは複数の局による使用のための１つまたは複数のパラメータを備える、Ｃ１４に記載の方法。
［Ｃ１８］
前記１つまたは複数のパラメータは、ほとんど無いか全くない干渉の許可によって同時の送信を禁止するために低い値に設定される、または、より高いレベルの干渉の許可によって同時の送信を許可するために高い値に設定される、許可された干渉パラメータを備える、Ｃ１７に記載の方法。
［Ｃ１９］
データフレーム特性を識別すること、および、前記第１のＢＳＳにおける局の送信の間に送信することを前記重複ＢＳＳの他の送信機に動的に禁止することを、前記局に有効にするために、前記第１のＢＳＳにおけるアクセスポイントから情報を、前記局において、受信することをさらに備える、Ｃ１に記載の方法。
［Ｃ２０］
ワイヤレス通信のための装置であって、
プロセッサと、
前記プロセッサと電子通信状態にあるメモリと、
前記メモリに記憶され、前記プロセッサによって実行されたときに、前記装置に、
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、をさせるために実行可能である命令と、
を備え、ここにおいて、前記命令は、同時の重複ＢＳＳ送信が禁止されることを示すフレームのプリアンブルにおける値を設定することを前記装置に行わせることを、するために前記プロセッサによって実行可能である、
装置。
［Ｃ２１］
ワイヤレス通信のための装置であって、
第１の基本サービスセット（ＢＳＳ）の第１の送信機から送信される第１の送信を識別するための手段と、
前記第１の送信の間における前記第１の送信機と同時の送信を前記第１のＢＳＳと重複する重複ＢＳＳの１つまたは複数の他の送信機に動的に禁止するための手段と、を備え、ここにおいて、動的に禁止するための前記手段は、同時の重複ＢＳＳ送信が禁止されることを示すフレームのプリアンブルにおける値を設定するための手段を備える、
装置。
［Ｃ２２］
前記第１の送信を識別するための前記手段は、前記第１の送信の１つまたは複数の特性を識別するための手段を備え、
前記重複することの前記１つまたは複数の他の送信機を動的に禁止するための前記手段は、前記識別された１つまたは複数の特性に少なくとも部分的に基づく動作可能なＢＳＳである、Ｃ２１に記載の装置。
［Ｃ２３］
前記フレームの前記プリアンブルにおける前記値を設定するための前記手段は、
同時の重複ＢＳＳ送信が禁止されることを示す所定の値に前記第１の送信のデータフレームのプリアンブルにおけるカラーフィールドを設定するための手段を備える、Ｃ２１に記載の装置。
［Ｃ２４］
前記フレームの前記プリアンブルにおける前記値を設定するための前記手段は、
前記フレームの前記プリアンブルにおけるフラグを設定するための手段を備える、Ｃ２１に記載の装置。
［Ｃ２５］
動的に禁止するための前記手段は、
前記第１の送信機の前記送信に先行する送信可（ＣＴＳ）送信または送信要求（ＲＴＳ）送信のうちの１つまたは複数を送信するための手段を備える、Ｃ２１に記載の装置。
［Ｃ２６］
前記ＲＴＳまたはＣＴＳ送信は、同時の送信がレガシ延期ルールに従って禁止されることを前記重複ＢＳＳの前記１つまたは複数の他の送信機に示す、Ｃ２５に記載の装置。
［Ｃ２７］
動的に禁止するための前記手段は、
前記第１の送信の間に送信されるデータフレームのプリアンブルにおいて干渉しきい値を送信するための手段を備え、前記干渉しきい値は、前記データフレームによって耐えられる干渉の量を示す、Ｃ２１に記載の装置。
［Ｃ２８］
前記動的に禁止するための手段は、
同時の重複ＢＳＳ送信が、ほとんど無いか全くない干渉の許可によって禁止されることを示すために前記干渉しきい値を低いレベルに設定するための手段を備える、Ｃ２７に記載の装置。
［Ｃ２９］
同時の送信を前記動的に禁止することに基づいて１つまたは複数のディスインセンティブルールを適用するための手段、をさらに備える、Ｃ２１に記載の装置。
［Ｃ３０］
ワイヤレス通信のためのコードを記憶する非一時的コンピュータ可読媒体であって、前記コードは、
第１の基本サービスセット（ＢＳＳ）の第１の送信機から送信される第１の送信を識別することと、
前記第１の送信の間における前記第１の送信機と同時の送信を前記第１のＢＳＳと重複する重複ＢＳＳの１つまたは複数の他の送信機に動的に禁止することと、をするために実行可能な命令を備え、ここにおいて、前記コードは、同時の重複ＢＳＳ送信が禁止されることを示すフレームのプリアンブルにおける値を設定するために実行可能な命令を備える、非一時的コンピュータ可読媒体。